(57)【要約】【課題】出力側のケーブルを簡単に接続及び取外し可能な分岐端子台装置を提供する。また、入力側及び出力側の端子部の数を用途に応じて増減可能な分岐端子台装置を提供する。【解決手段】絶縁性のケース１０の台座部１３に固定された導電板２０に入力端子ネジ２５が螺着され且つハウジング７１内に端子金具７２が設けられたケーブル接続部材としてのワンタッチ端子台７０が導電板２０に電気的に導通するように取付けられているので、入力側ケーブル５０を入力端子ネジ２５を介して導電板２０に接続し、出力側ケーブル５２をワンタッチ端子台７０を介して導電板２０に接続することにより、電源が入力側から出力側へ分岐接続される。【選択図】図１
2008034265.tif 000002
【特許請求の範囲】
【請求項１】
電源を入力側から出力側へ分岐接続する分岐端子台装置であって、
導電板と、
その導電板を固定するための台座部を有する絶縁性の筐体と、
入力側のケーブルを接続するために前記導電板に螺着された端子ネジと、
ハウジング内に設けられた端子金具に出力側のケーブルを接続可能であり且つ前記導電板に電気的に導通するように取付けられたケーブル接続部材と
を備えたことを特徴とする分岐端子台装置。
【請求項２】
前記ケーブル接続部材は、前記出力側のケーブルの先端を前記ハウジング内に挿入することで前記ケーブルを前記端子金具に接続可能であると共に、前記ケーブルとの接続を解除するための解除手段を有するワンタッチ端子台であることを特徴とする請求項１に記載の分岐端子台装置。
【請求項３】
前記ケーブル接続部材は、前記出力側のケーブルに設けられたケーブル側コネクタに前記ハウジングが着脱自在に嵌合して前記ケーブルを前記端子金具に接続可能なコネクタ部材であることを特徴とする請求項１に記載の分岐端子台装置。
【請求項４】
前記筐体には、前記導電板の少なくとも前記端子ネジ及びその近傍を覆うカバーが取付けられたことを特徴とする請求項１乃至３のいずれかに記載の分岐端子台装置。
【請求項５】
前記導電板は、二段曲げ加工により上段面及び下段面が形成され、前記上段面に前記端子ネジが螺着され、前記下段面に前記ケーブル接続部材が取付けられたことを特徴とする請求項１乃至４のいずれかに記載の分岐端子台装置。
【請求項６】
前記筐体は、複数に分割されたブロックを連結して一体化してなると共に、前記ブロックの数を増減可能であることを特徴とする請求項１乃至５のいずれかに記載の分岐端子台装置。
【請求項７】
電源を入力側から出力側へ分岐接続する分岐端子台装置であって、
入力側の端子部及び出力側の端子部が設けられる導電板と、
その導電板を固定するための台座部を有する絶縁性の筐体と
を備え、
前記筐体は、複数に分割されたブロックを連結して一体化してなると共に、前記ブロックの数を増減可能であることを特徴とする分岐端子台装置。
【請求項８】
前記筐体は、前記台座部ごとに分割されていることを特徴とする請求項７に記載の分岐端子台装置。
【請求項９】
前記各ブロックは、複数色に色分けされたことを特徴とする請求項８に記載の分岐端子台装置。
【請求項１０】
前記導電板は、隣接するブロック間に挟持固定されることを特徴とする請求項７乃至９のいずれかに記載の分岐端子台装置。
【請求項１１】
前記筐体は、台座部と一端側の側壁部とが一体的に設けられる第一ブロックと、他端側の側壁部が設けられる第二ブロックとを少なくとも有し、必要に応じて、前記第一ブロックと前記第二ブロックとの間に、台座部と一端側の仕切り壁部とが一体的に設けられる第三ブロックを１又は複数連結して一体化してなることを特徴とする請求項７乃至１０のいずれかに記載の分岐端子台装置。
【請求項１２】
前記入力側の端子部は、入力側のケーブルを接続するために前記導電板に螺着された端子ネジであり、
前記出力側の端子部は、ハウジング内に設けられた端子金具に出力側のケーブルを接続可能であり且つ前記導電板に電気的に導通するように取付けられたケーブル接続部材であることを特徴とする請求項７乃至１１のいずれかに記載の分岐端子台装置。
【請求項１３】
前記入力側の端子部は、入力側のケーブルを接続するために前記導電板に螺着された入力端子ネジであり、
前記出力側の端子部は、出力側のケーブルを接続するために前記導電板に螺着された出力端子ネジであることを特徴とする請求項７乃至１１のいずれかに記載の分岐端子台装置。
【請求項１４】
前記導電板は、二段曲げ加工により上段面及び下段面が形成されたことを特徴とする請求項７乃至１３のいずれかに記載の分岐端子台装置。
【発明の詳細な説明】
【技術分野】
【０００１】
本発明は、電源を入力側から出力側へ分岐接続する分岐端子台装置に関する。
【背景技術】
【０００２】
従来より、各種の端子台装置が提案されており（例えば、特許文献１参照。）、それらの一つとして、単数又は複数の入力電源を複数の出力電源に分岐するための分岐端子台装置がある。図１５は、従来例の分岐端子台装置５１０１を示す図であり、（ａ）は平面図を、（ｂ）は正面図をそれぞれ示している。従来例の分岐端子台装置５１０１は、仕切り壁部５１１８によって仕切られた３つの端子台部５１１１を有するケース５１１０と、３枚の導電金具５１２０と、記号板５１３０と、透明カバー５１４０とを主要部材として構成されている。ケース５１１０は、合成樹脂材料からなる上面及び前後面が開放された略箱形を呈する絶縁性の筐体であり、左右両端には、側壁部５１１９がそれぞれ立設されている。
【０００３】
各端子台部５１１１は、ケース５１１０の底部に台座部５１１３が設けられ、台座部５１１３には銅や黄銅等の長方形板状の金属板である導電金具５１２０が取付けられる。導電金具５１２０は、ケース５１１０の前後方向中央において左右に延びる壁状の記号板５１３０によって、前方側端子面５１２１と後方側端子面５１２２とに仕切られている。そして、前方側端子面５１２１には、出力端子ネジ５１２５が左右に所定間隔で３個取付けられている。一方、後方側端子面５１２２には、入力端子ネジ５１２７が１個取付けられている。透明カバー５１４０は、透明樹脂材料からなる長方形状の平板であり、ケース５１１０上面を覆うように側壁部５１１９上面に着脱可能に取付けられる。
【特許文献１】特開２０００−２００６３３号公報
【発明の開示】
【発明が解決しようとする課題】
【０００４】
しかしながら、上述した従来例の分岐端子台装置５１０１は、入力側及び入力側よりも端子数が多い出力側も端子ネジの締め付けによりケーブルを接続する構成であるため、ケーブルの接続や取外しの作業に手間がかかるという問題がある。
【０００５】
また、分岐端子台装置５１０１では電源分岐の組数を３としたが、分岐端子台装置の用途によって必要な端子数が異なるものであり、１組又は２組の場合や４組以上の場合もあり得る。そのため、従来は各種の用途に対応するために、端子台部の個数の異なる複数種類の仕様の分岐端子台を予め用意しておかなければならなかった。
【０００６】
本発明は上述した問題点に鑑みてなされたものであり、出力側のケーブルを簡単に接続及び取外し可能な分岐端子台装置を提供することを第１の目的とする。また、入力側及び出力側の端子部の数を用途に応じて増減可能な分岐端子台装置を提供することを第２の目的とする。
【課題を解決するための手段】
【０００７】
以下、上記課題を解決するのに適した各手段につき、必要に応じて作用効果等を付記しつつ説明する。
【０００８】
１．電源を入力側から出力側へ分岐接続する分岐端子台装置であって、
導電板と、
その導電板を固定するための台座部を有する絶縁性の筐体と、
入力側のケーブルを接続するために前記導電板に螺着された端子ネジと、
ハウジング内に設けられた端子金具に出力側のケーブルを接続可能であり且つ前記導電板に電気的に導通するように取付けられたケーブル接続部材と
を備えたことを特徴とする分岐端子台装置。
【０００９】
手段１によれば、絶縁性の筐体の台座部に固定された導電板に端子ネジが螺着され且つハウジング内に端子金具が設けられたケーブル接続部材が導電板に電気的に導通するように取付けられているので、入力側のケーブルを端子ネジを介して導電板に接続し、出力側のケーブルをケーブル接続部材を介して導電板に接続することにより、電源が入力側から出力側へ分岐接続される。従って、入力側のケーブルを端子ネジを用いた簡単な構造で導電板に確実に固定することができると共に、出力側のケーブルをケーブル接続部材を介して導電板に簡単に接続及び取外しすることができる。
【００１０】
２．前記ケーブル接続部材は、前記出力側のケーブルの先端を前記ハウジング内に挿入することで前記ケーブルを前記端子金具に接続可能であると共に、前記ケーブルとの接続を解除するための解除手段を有するワンタッチ端子台であることを特徴とする手段１に記載の分岐端子台装置。
【００１１】
手段２によれば、ケーブル接続部材がワンタッチ端子台であるので、出力側のケーブルの先端をハウジング内に挿入することでケーブルを端子金具に簡単に接続可能であると共に、解除手段により端子金具とケーブルとの接続を簡単に解除することができる。
【００１２】
３．前記ケーブル接続部材は、前記出力側のケーブルに設けられたケーブル側コネクタに前記ハウジングが着脱自在に嵌合して前記ケーブルを前記端子金具に接続可能なコネクタ部材であることを特徴とする手段１に記載の分岐端子台装置。
【００１３】
手段３によれば、ケーブル接続部材がコネクタ部材であるので、出力側のケーブルに設けられたケーブル側コネクタにハウジングが嵌合してケーブルを端子金具に簡単に接続可能であると共に、ケーブル側コネクタをハウジングから抜くことにより端子金具とケーブルとの接続を簡単に解除することができる。
【００１４】
４．前記筐体には、前記導電板の少なくとも前記端子ネジ及びその近傍を覆うカバーが取付けられたことを特徴とする手段１乃至３のいずれかに記載の分岐端子台装置。
【００１５】
手段４によれば、筐体には、導電板の少なくとも端子ネジ及びその近傍を覆うカバーが取付けられているので、作業者が通電中に指を端子ネジや導電板に誤って接触させて感電する事故等を防止することができる。特に、カバーを透明材料により形成した場合には、カバーを取付けた状態で端子ネジにおけるケーブルの接続状態等の目視確認を行うことが可能となる。
【００１６】
５．前記導電板は、二段曲げ加工により上段面及び下段面が形成され、前記上段面に前記端子ネジが螺着され、前記下段面に前記ケーブル接続部材が取付けられたことを特徴とする手段１乃至４のいずれかに記載の分岐端子台装置。
【００１７】
手段５によれば、導電板に二段曲げ加工により上段面及び下段面が形成され、上段面に端子ネジが螺着されているので、入力側のケーブルの接続作業が容易であると共に、下段面にケーブル接続部材が取付けられているので装置の高さを低く抑えることができる。
【００１８】
６．前記筐体は、複数に分割されたブロックを連結して一体化してなると共に、前記ブロックの数を増減可能であることを特徴とする手段１乃至５のいずれかに記載の分岐端子台装置。
【００１９】
手段６によれば、筐体が複数に分割されたブロックを連結して一体化してなると共に、ブロックの数を増減可能であるので、用途に応じて台座部及び導電板の数を増減して入力側の端子部としての端子ネジ及び出力側の端子部としてのケーブル接続部材の数を増減することができる。
【００２０】
７．電源を入力側から出力側へ分岐接続する分岐端子台装置であって、
入力側の端子部及び出力側の端子部が設けられる導電板と、
その導電板を固定するための台座部を有する絶縁性の筐体と
を備え、
前記筐体は、複数に分割されたブロックを連結して一体化してなると共に、前記ブロックの数を増減可能であることを特徴とする分岐端子台装置。
【００２１】
手段７によれば、筐体が複数に分割されたブロックを連結して一体化してなると共に、ブロックの数を増減可能であるので、用途に応じて台座部及び導電板の数を増減して入力側及び出力側の端子部の数を増減することができる。
【００２２】
８．前記筐体は、前記台座部ごとに分割されていることを特徴とする手段７に記載の分岐端子台装置。
【００２３】
手段８によれば、筐体が台座部ごとに分割されているので、用途に応じてブロックの数を増減することにより、台座部及び導電板を任意の数に設定することができる。
【００２４】
９．前記各ブロックは、複数色に色分けされたことを特徴とする手段８に記載の分岐端子台装置。
【００２５】
手段９によれば、各ブロックが複数色に色分けされているので、例えば、ケーブルの被覆の色とブロックの色とを対応付けることにより、作業者によるケーブルの接続ミスの防止を図ることができる。
【００２６】
１０．前記導電板は、隣接するブロック間に挟持固定されることを特徴とする手段７乃至９のいずれかに記載の分岐端子台装置。
【００２７】
手段１０によれば、ネジ等の固定部材を用いることなく、導電板が隣接するブロック間に挟持固定されるので、コストを低減しつつ組付け作業の容易化を図ることができる。
【００２８】
１１．前記筐体は、台座部と一端側の側壁部とが一体的に設けられる第一ブロックと、他端側の側壁部が設けられる第二ブロックとを少なくとも有し、必要に応じて、前記第一ブロックと前記第二ブロックとの間に、台座部と一端側の仕切り壁部とが一体的に設けられる第三ブロックを１又は複数連結して一体化してなることを特徴とする手段７乃至１０のいずれかに記載の分岐端子台装置。
【００２９】
手段１１によれば、筐体が、台座部と一端側の側壁部とが一体的に設けられる第一ブロックと、他端側の側壁部が設けられる第二ブロックとを少なくとも有し、必要に応じて、第一ブロックと第二ブロックとの間に、台座部と一端側の仕切り壁部とが一体的に設けられる第三ブロックを１又は複数連結して一体化してなるので、第一〜第三ブロックの３種類のブロックを用いて任意の数の台座部を有する筐体を構成することができる。
【００３０】
１２．前記入力側の端子部は、入力側のケーブルを接続するために前記導電板に螺着された端子ネジであり、
前記出力側の端子部は、ハウジング内に設けられた端子金具に出力側のケーブルを接続可能であり且つ前記導電板に電気的に導通するように取付けられたケーブル接続部材であることを特徴とする手段７乃至１１のいずれかに記載の分岐端子台装置。
【００３１】
手段１２によれば、入力側の端子部として導電板に端子ネジが螺着されると共に、出力側の端子部としてハウジング内に端子金具が設けられたケーブル接続部材が導電板に電気的に導通するように取付けられているので、入力側のケーブルを端子ネジを介して導電板に接続し、出力側のケーブルをケーブル接続部材を介して導電板に接続することにより、電源が入力側から出力側へ分岐接続される。従って、入力側のケーブルを端子ネジを用いた簡単な構造で導電板に確実に固定することができると共に、出力側のケーブルをケーブル接続部材を介して導電板に簡単に接続及び取外しすることができる。
【００３２】
１３．前記入力側の端子部は、入力側のケーブルを接続するために前記導電板に螺着された入力端子ネジであり、
前記出力側の端子部は、出力側のケーブルを接続するために前記導電板に螺着された出力端子ネジであることを特徴とする手段７乃至１１のいずれかに記載の分岐端子台装置。
【００３３】
手段１３によれば、入力側の端子部として導電板に入力端子ネジが螺着されると共に、出力側の端子部として導電板に出力端子ネジが螺着されているので、入力側のケーブルを入力端子ネジを介して導電板に接続し、出力側のケーブルを出力端子ネジを介して導電板に接続することにより、電源が入力側から出力側へ分岐接続される。
【００３４】
１４．前記導電板は、二段曲げ加工により上段面及び下段面が形成されたことを特徴とする手段７乃至１３のいずれかに記載の分岐端子台装置。
【００３５】
手段１４によれば、導電板に二段曲げ加工により上段面及び下段面が形成されているので、コンパクトなサイズで多くの端子部を設けつつ、端子部に接続されるケーブル同士の干渉を回避することができる。
【発明の効果】
【００３６】
第一の発明の分岐端子台装置によれば、入力側のケーブルを端子ネジを用いた簡単な構造で導電板に確実に固定することができると共に、出力側のケーブルをケーブル接続部材を介して導電板に簡単に接続及び取外しすることができる。
【００３７】
第二の発明の分岐端子台装置によれば、用途に応じて台座部及び導電板の数を増減して入力側及び出力側の端子部の数を増減することができる。
【発明を実施するための最良の形態】
【００３８】
以下、本発明の分岐端子台装置を具体化した各実施形態について図面を参照しつつ説明する。図１は、第一の実施形態の分岐端子台装置１を示す斜視図である。図２（ａ）は、分岐端子台装置１を示す平面図、（ｂ）は（ａ）におけるＡ−Ａ線断面図である。図３（ａ）は、第一の実施形態における導電板２０の斜視図、（ｂ）は導電板２０と入力端子ネジ２５及びワンタッチ端子台７０とを分離して示す側面図、（ｃ）は導電板２０に入力端子ネジ２５及びワンタッチ端子台７０を取付けた状態を示す側面図、（ｄ）はその平面図である。図４は、第一の実施形態においてケース１０を分解した状態を示す平面図である。図５は、分岐端子台装置１の使用状態を示す斜視図である。
【００３９】
分岐端子台装置１は、図１，２に示すように、３つの端子台部１１を有するケース１０と、１本の入力端子ネジ２５及び２個のワンタッチ端子台７０をそれぞれ取付けてなる３枚の導電板２０と、記号板３０と、透明カバー４０とを主要部材として構成されている。
【００４０】
ケース１０は、絶縁性及び熱安定性に優れた合成樹脂材料（例えば、ポリアミド６６樹脂）からなる上面及び前後面が開放された略箱形を呈する絶縁性の筐体である。ケース１０は、合成樹脂製の複数のブロックを連結して一体化して構成されるが、最初に、一体化が完了した状態のケース１０に基づいて各部の概略構成を以下に説明し、ブロックの連結を含む分岐端子台装置１の組付け方法については後述する。
【００４１】
ケース１０には、３つの端子台部１１が左右に隣接して配置され、隣接する端子台部１１間（左側及び中央の各端子台部１１間及び中央及び右側の各端子台部１１間）にそれぞれ仕切り壁部１８が立設されている。さらに、ケース１０の左右両端（左側の端子台部１１左端及び右側の端子台部１１右端）には、側壁部１９がそれぞれ立設され、各々の上面に透明カバー４０取付け用の雌ネジ金具（図示せず）がそれぞれ埋設されている。側壁部１９には、分岐端子台装置１を配電盤等へ固定するための図示しないボルトが取付けられるボルト取付部１９ｂがそれぞれ側方へ突設されている。ボルト取付部１９ｂは、ボルトの頭部を収容可能な円筒状の凹部であり、ボルトの足部を挿通可能な挿通孔１９ｃが中心に設けられている。また、仕切り壁部１８及び側壁部１９上面には、記号板３０が嵌め込まれる凹部１８ｕ、１９ｕがそれぞれ形成されている。
【００４２】
各端子台部１１は、導電板２０が固定される台座部１３を備えている。台座部１３は、端子台部１１の前後方向中央部を構成する階段状部分であり、下段部１４と、下段部１４前方にて一段高く形成された上段部１５とを有している。下段部１４には、ワンタッチ端子台７０のリード７４を収容可能な凹部１４ａが設けられている。上段部１５には、入力端子ネジ２５の足部を収容可能な凹部１５ａが設けられている。
【００４３】
導電板２０は、図２，図３等に示すように、導電性のよい金属板、例えば、銅板に表面処理としてニッケルメッキを施すと共に、平行二段曲げ加工を施して階段状に屈曲させたものであり、段違いの二つの端子面である下段面２１及び上段面２２を有している。下段面２１は、略正方形状を呈すると共に複数の孔２１ａが形成され、ワンタッチ端子台７０は、各孔２１ａにリード７４を挿通するように載置されて半田付けにより固定される。各導電板２０の下段面２１には、ワンタッチ端子台７０が２個ずつ取付けられる。上段面２２は、下段面２１よりも小さい略正方形状を呈し、中央に１つのネジ孔２２ａが設けられている。ネジ孔２２ａには、入力端子ネジ２５が座金を介して螺着される。
【００４４】
ワンタッチ端子台７０は、ケーブル先端の丸棒状の導体部分をハウジング７１内に挿入することで端子金具７２に接続可能な公知の端子台であって、２個のケーブル挿入穴７１ａと２個の解除ボタン７３とを備えており、２本のケーブルを接続することできる。
【００４５】
ハウジング７１は、絶縁性及び熱安定性に優れた合成樹脂材料（例えば、ポリアミド６６樹脂）からなり、ハウジング７１には上面に開口するケーブル挿入穴７１ａが前部及び後部に１個ずつ設けられ、このケーブル挿入穴７１ａに臨む内部空間に板バネ状の端子金具７２がそれぞれ収納される。端子金具７２は、垂直部分と水平部分とでケーブルの導体部分を挟着した状態で接続可能である。また、端子金具７２と導通し導電板２０に接続されるリード７４がハウジング７１の下面から突設されている。
【００４６】
解除ボタン７３は、ハウジング７１の上面の前部及び後部のケーブル挿入穴７１ａ近傍にてそれぞれ開口する穴部７１ｂに挿入され、解除ボタン７３の下端に対応する端子金具７２の水平部分が当接し、解除ボタン７３の押し込み操作により端子金具７２の水平部分を押圧してケーブル結線状態からケーブル解除状態にすることができる。
【００４７】
記号板３０は、図１、図２に示すように、ケース１０の左右方向長さよりも僅かに短い合成樹脂製の細長い長方形板であり、導電板２０に接続される複数のケーブルを識別するための記号が、上面に油性筆記具等を用いて直接記入され、又は記号を表示したシールが貼付される。記号板３０は、両側壁部１９上面の凹部１９ｕ及び２つの仕切り壁部２８上面の凹部１８ｕにそれぞれ嵌め込まれることにより固定される。
【００４８】
透明カバー４０は、ポリカーボネート等の透明樹脂材料からなり、ケース１０上面を覆うように着脱可能に取付けられるカバー部材である。透明カバー４０は、前端から下方へ延設された延設部４０ａを備え、延設部４０ａには、ケース１０の３つの端子台部１１に接続される入力側のケーブルを通すために、Ｕ字形状に切り欠かれた切り欠き部４０ｂが各端子台部１１に対応して３箇所に設けられている。また、透明カバー４０上面の左右には、取付けネジ４１が挿通される挿通孔４０ｃがそれぞれ形成されている。
【００４９】
次に、ケース１０を構成するブロックの連結を含む分岐端子台装置１の組付け方法について説明する。尚、入力端子ネジ２５及びワンタッチ端子台７０の導電板２０への取付けは完了しているものとする。
【００５０】
まず、ケース１０を構成する各ブロックの構成について、図４を参照しつつ説明する。尚、図４では、透明カバー４０及び記号板３０の図示を省略している。ケース１０は、４個の合成樹脂製ブロック、具体的には、第一ブロック１００、第二ブロック２００、及び２個の第三ブロック３００から構成される。
【００５１】
第一ブロック１００は、台座部１１３（１３）と、台座部１１３の左側に一体的に設けられた左側壁部１１９（１９）とを有する（括弧内の数字は、図１等における組付け完了後の符号を示す。以下同様。）。台座部１１３の下段部１１４後端より約２ｍｍ上方には、導電板２０後端を案内するガイド部１１４ａが数ｍｍ幅で前方側へ突設されている。また、左側壁部１１９の右側面には、上段部１１５より約２ｍｍ上方から後方にかけて数ｍｍ幅でＬ字部１１９ａが突設されている。さらに、左側壁部１１９の左側面下部には、分岐端子台装置１を配電盤等へ固定するための図示しないボルトが取付けられるボルト取付部１１９ｃ（１９ｃ）が突設され、ボルトの頭部を収容可能な円筒状の凹部１１９ｄ（１９ｄ）が設けられると共に、その中心にはボルトの足部を挿通可能なボルト挿通孔１１９ｅ（１９ｅ）が設けられている。第一ブロック１００の下部前端及び後端には、左右方向にシャフト挿通孔１１６がそれぞれ形成されると共に、各々の右端には係合凹部１１６ａがそれぞれ形成されている。
【００５２】
第二ブロック２００は、右側壁部２１９（１９）を有する。右側壁部２１９の左側面には、第一ブロック１００のＬ字部１１９ａと同様のＬ字部２１９ｂが突設されている。また、右側壁部２１９の右側面下部には、第一ブロック１００のボルト取付部１１９ｃと同様のボルト取付部２１９ｃ（１９ｃ）が突設され、ボルト取付部２１９ｃには凹部２１９ｄ（１９ｄ）及びボルト挿通孔２１９ｅ（１９ｅ）が設けられている。第二ブロック２００の下部前端及び後端には、左右方向にシャフト挿通孔２１６がそれぞれ形成されると共に、各々の左端には係合凸部２１６ａがそれぞれ形成されている。
【００５３】
第三ブロック３００は、台座部３１３（１３）と、台座部３１３の左側に一体的に設けられた仕切り壁部３１８（１８）を有する。台座部３１３には、第一ブロック１００のガイド部１１４ａと同様のガイド部３１４ａが突設されている。また、仕切り壁部３１８の右側面には第一ブロック１００のＬ字部１１９ａと同様のＬ字部３１９ａが、左側面にはＬ字部３１９ｂがそれぞれ突設されている。第三ブロック３００の下部前端及び後端には、左右方向にシャフト挿通孔３１６がそれぞれ形成されると共に、各々の左端には係合凸部３１６ａが、右端には係合凹部３１６ｂがそれぞれ形成されている。
【００５４】
次に、分岐端子台装置１の組付け方法について、図４を参照しつつ説明する。まず、第一ブロック１００の台座部１１３に導電板２０を載置する。具体的には、導電板２０を第一ブロック１００の右端側から下段面２１の後端をガイド部１１４ａと下段部１１４との間に位置合わせして台座部１１３上に載置し、左側壁部１１９の右側面に当接するまで左へスライドさせる。この時、導電板２０の上段面２２の左端部分は、Ｌ字部１１９ａと上段部１１５との間に位置するため、上下方向の移動が規制される。
【００５５】
続いて、第三ブロック３００を第一ブロック１００に連結する。すなわち、第三ブロック３００の下部前端及び後端の左端に設けられた係合凸部３１６ａを、第一ブロック１００の下部前端及び後端の右端に設けられた係合凹部１１６ａにそれぞれ係合させる。この時、導電板２０は、上段面２２の右端部分は、Ｌ字部３１９ｂと上段部１１５との間に位置する。従って、導電板２０は、第一ブロック１００のＬ字部１１９ａ、ガイド部１１４ａ、及び第二ブロック３００のＬ字部３１９ｂによって上下方向の移動が規制されると共に、第一ブロック１００の側壁部１１９右側面及び第三ブロック３００の仕切り壁部３１８によって左右方向の移動が規制されるため、ネジ等を用いることなく第一ブロック１００と第三ブロック３００とによって挟持固定される。
【００５６】
次に、２枚目の導電板２０を第三ブロック３００に取付ける。続いて、１個目の第三ブロック３００へ２個目の第三ブロック３００を連結し、３枚目の導電板２０を２個目の第三ブロック３００へ取付ける。そして、第二ブロック２００を２個目の第三ブロック１３０に連結する。すなわち、第二ブロック２００の下部前端及び後端の左端に設けられた係合凸部２１６ａを、２個目の第三ブロック３００の下部前端及び後端の右端に設けられた係合凹部３１６ｂにそれぞれ係合させる。このように４個のブロックが連結された状態で、シャフト５００を第二ブロック２００のシャフト挿通孔２１６へ右側から挿通し、２個の第三ブロック３００のシャフト挿通孔３１６、及び第一ブロック１００のシャフト挿通孔１１６に順次挿通し、第一ブロック１００の側壁部１１９左側面でナットを締付けることよって、ケース１０の一体化及び３枚の導電板２０の取付けが完了する。
【００５７】
この状態で、３本の入力端子ネジ２５を、３枚の導電板２０の上段面２２に設けられたネジ孔２２ａにそれぞれ座金を介して螺着する。そして、記号板３０を両側の側壁部１９上端の凹部１９ｈ及び仕切り壁部１８上端の凹部１８ｈに嵌め込み、最後に、透明カバー４０を上から被せて取付けねじ４１を左右の挿通孔４０ｃにそれぞれ挿通し、雌ネジ金具１９ａへ螺着することにより分岐端子台装置１の組付けが完了する。
【００５８】
次に、分岐端子台装置１への電源入力側及び出力側のケーブル接続例について、図５を参照しつつ説明する。また、分岐端子台装置１の各端子台部１１には、電源入力側（６００Ｖ−１００Ａ）に１本の入力側ケーブル５０（ＡＷＧ３〜４）が接続され、電源出力側（６００Ｖ−８０Ａ）に４本の出力側ケーブル５２（ＡＷＧ１４〜１０）がそれぞれ接続される。また、分岐端子台装置１は、図示しないボルトを用いて配電盤に固定されているものとする。
【００５９】
まず、透明カバー４０及び記号板３０をケース１０から取り外すと共に、入力側ケーブル５０を導電板２０の上段面２２に接続する。すなわち、入力端子ネジ２５の足部を、座金と共に入力側ケーブル５０先端の圧着端子５０ａの孔に挿通し、さらに上段面２２のネジ孔２２ｃに挿通して締付けることにより、圧着端子５０ａを上段面２２に固着する。
【００６０】
次に、出力側ケーブル５２をワンタッチ端子台７０に接続する。すなわち、出力側ケーブル５２先端の導体部分をワンタッチ端子台７０のケーブル挿入穴７１ａに挿入して端子金具７２に接続する。各ワンタッチ端子台７０について、必要数の出力側ケーブル５２の接続を行う。
【００６１】
全ての端子台部１１について上記作業が終了した後、記号板３０を、長手方向を左右に向けてケース１０の各側壁部１９上面の凹部１９ｕ及び各仕切り壁部１８上面凹部１８ｕ内に嵌め込む。
【００６２】
続いて、透明カバー４０を、ケース１０左右両側の側壁部１４上に位置合わせしつつ載置し、左右の挿通孔４０ｃに取付けネジ４１をそれぞれ挿通して側壁部１９上部に設けられた各雌ネジ金具１９ａにそれぞれ螺合することにより、透明カバー４０が入力端子ネジ２５及び導電板２０の上段面２２を覆う状態でケース１０固定される。
【００６３】
そして、各ケーブルが接続された分岐端子台装置１は、例えば、３つの端子台部１１に入力電源として６００Ｖ−１００Ａの３相電源が接続されている場合には、Ｕ相，Ｖ相，及びＷ相に対応する各々６００Ｖ−３０Ａ以下の出力電源に分岐する。
【００６４】
以上詳述したことから明らかなように、本実施形態によれば、絶縁性のケース１０の台座部１３に固定された導電板２０に入力端子ネジ２５が螺着され且つハウジング７１内に端子金具７２が設けられたケーブル接続部材としてのワンタッチ端子台７０が導電板２０に電気的に導通するように取付けられているので、入力側ケーブル５０を入力端子ネジ２５を介して導電板２０に接続し、出力側ケーブル５２をワンタッチ端子台７０を介して導電板２０に接続することにより、電源が入力側から出力側へ分岐接続される。従って、入力側ケーブル５０を入力端子ネジ２５を用いた簡単な構造で導電板２０に確実に固定することができると共に、出力側ケーブル５２をワンタッチ端子台７０を介して導電板２０に簡単に接続及び取外しすることができる。
【００６５】
特に、本実施形態では、ケーブル接続部材としてワンタッチ端子台７０を採用したので、出力側ケーブル５２先端をハウジング７１内に挿入することで出力側ケーブル５２を端子金具７２に簡単に接続可能であると共に、解除手段としての解除ボタン７３の押圧により端子金具７２と出力側ケーブル５２との接続を簡単に解除することができる。
【００６６】
また、ケース１０には、導電板２０の入力端子ネジ２５及びその近傍を覆う透明カバー４０が取付けられているので、作業者が通電中に指を入力端子ネジ２５や導電板２０に誤って接触させて感電する事故等を防止することができると共に、透明カバー４０を取付けた状態で入力端子ネジ２５における入力側ケーブル５０の接続状態等の目視確認を行うことができる。特に、透明カバー４０は、ケース１０よりも前面側へ２０ｍｍ程度張り出すと共に、下方へ延設形成されてケーブルとの干渉部分のみにＵ字形の切り欠き部４０ｂが形成されているので、作業者の指が入力側ケーブル５０の圧着端子５０ａに接触することをも確実に防止できる。
【００６７】
また、導電板２０に二段曲げ加工により上段面２２及び下段面２１が形成され、上段面２２に入力端子ネジ２５が螺着されているので、入力側ケーブル５０の接続作業が容易であると共に、下段面２１にワンタッチ端子台７０が取付けられているので、端子台装置全体の高さを低く抑えることができる。
【００６８】
また、本実施形態によれば、ケース１０が複数に分割されたブロックを連結して一体化してなると共に、ブロックの数を増減可能であるので、用途に応じて台座部１３及び導電板２０の数を増減して入力側及び出力側の端子部の数を増減することができる。すなわち、ケース１０が台座部１３ごとに複数に分割された第一ブロック１００乃至第三ブロック３００を連結して一体化してなると共に、第三ブロック３００の連結数を増減可能である。従って、用途に応じて、端子台部１１の数、すなわち、導電板２０並びに導電板２０に設けられる入力側の端子部としての入力端子ネジ２５及び出力側の端子部としてのワンタッチ端子台７０の数を増減することができる。例えば、上記実施形態では、第一ブロック１００と第二ブロック２００との間に第三ブロック３００を２個連結して端子台部１１を３個設けた例を示したが、端子台部１１が１個のみ必要な場合は、第三ブロック３００を用いることなく、第一ブロック１００と第二ブロック２００とを連結すればよい。また、端子台部１１が２個必要な場合は、第一ブロック１００と第二ブロック２００との間に１個の第三ブロック３００を連結すればよい。さらに、端子台部１１が４個又はそれ以上必要な場合は、第一ブロック１００と第二ブロック２００との間に３個又はそれ以上の個数の第三ブロック３００を連結すればよい。
【００６９】
さらに、導電板２０は、ネジ等の固定部材を用いることなく、ケース１０を構成する隣接ブロック間に挟持固定される構造であるので、コストを低減しつつ組付け作業の容易化を図ることができる。
【００７０】
次に、本発明の第二の実施形態について、図６乃至図８を参照しつつ説明する。尚、上記第一の実施形態と同一の部材には同一の符号を付し、それらについての詳細な説明を省略する。また、ケース１０を第一ブロック１００乃至第三ブロック３００の連結により構成した点も、第一の実施形態と同一である（他の実施形態も同様。）。図６は、第二の実施形態の分岐端子台装置１００１を示す斜視図である。図７（ａ）は、第二の実施形態における導電板２０と入力端子ネジ２５及びコネクタ１０７０とを分離して示す側面図、（ｂ）は導電板２０に入力端子ネジ２５及びコネクタ１０７０を取付けた状態を示す側面図、（ｃ）はその平面図である。図８は、分岐端子台装置１００１の使用状態を示す斜視図である。
【００７１】
本実施形態の分岐端子台装置１００１は、導電板２０の下段面２１に、第一の実施形態におけるワンタッチ端子台７０に代えてコネクタ１０７０を取付けたことを特徴とする。
【００７２】
コネクタ１０７０は、出力側ケーブル５２の先端に設けられた雄型コネクタであるケーブル側コネクタ５３と係合可能な公知の雌型コネクタであり、上面が開口する箱形のハウジング１０７１を有し、ハウジング１０７１内部には端子金具１０７２が設けられている。また、端子金具１０７２と導通し導電板２０に接続されるリード１０７４がハウジング１０７１の下面から突設されている。コネクタ１０７０は、導電板２０の各孔２１ａにリード１０７４を挿通するように載置されて半田付けにより固定される。また、各導電板２０の下段面２１には、コネクタ１０７０が２個ずつ取付けられる。そして、ケーブル側コネクタ５３をコネクタ１０７０に係合させることにより、ハウジング１０７１内で端子金具１０７２と出力側ケーブル５２との電気的接続を図ることができる。
【００７３】
以上詳述したことから明らかなように、本実施形態によれば、ケーブル接続部材としてコネクタ１０７０を導電板２０に取付けたので、出力側ケーブル５２に設けられたケーブル側コネクタ５３にハウジング１０７１が嵌合して出力側ケーブル５２を端子金具１０７２に簡単に接続可能であると共に、ケーブル側コネクタ５３をハウジング１０７１から抜くことにより端子金具１０７２と出力側ケーブル５２との接続を簡単に解除することができる。
【００７４】
次に、本発明の第三の実施形態について、図９乃至図１１を参照しつつ説明する。図９（ａ）は第三の実施形態の分岐端子台装置２００１を示す平面図、（ｂ）は背面図、（ｃ）は右側面図である。図１０（ａ）は、第三の実施形態において導電板２０と入力端子ネジ２５及びコネクタ２０７０とを分離して示す側面図、（ｃ）は導電板２０に入力端子ネジ２５及びコネクタ２０７０を取付けた状態を示す側面図、（ｄ）はその平面図である。図１１は、分岐端子台装置２００１の使用状態を示す平面図である。
【００７５】
本実施形態の分岐端子台装置２００１は、導電板２０の下段面２１に、第二の実施形態における上面側から出力側ケーブルが接続されるコネクタ１０７０に代えて、背面側から出力側ケーブルが接続されるコネクタ２０７０を取付けたことを特徴とする。
【００７６】
コネクタ２０７０は、出力側ケーブル５２の先端に設けられた雄型コネクタであるケーブル側コネクタ５３と係合可能な公知の雌型コネクタであり、背面が開口する箱形のハウジング２０７１を有し、ハウジング２０７１は内部が左右に仕切られてそれぞれ上下に端子金具２０７２が設けられている。また、端子金具２０７２と導通し導電板２０に接続されるリード２０７４がハウジング２０７１の下面から突設されている。コネクタ２０７０は、導電板２０の各孔２１ａにリード２０７４を挿通するように載置されて半田付けにより固定される。そして、ケーブル側コネクタ５３をコネクタ２０７０に係合させることにより、ハウジング２０７１内で端子金具２０７２と出力側ケーブル５２との電気的接続を図ることができる。
【００７７】
以上詳述したことから明らかなように、本実施形態によれば、ケーブル接続部材としてコネクタ２０７０を導電板２０に取付けたので、出力側ケーブル５２に設けられたケーブル側コネクタ５３にハウジング２０７１が嵌合して出力側ケーブル５２を端子金具２０７２に簡単に接続可能であると共に、ケーブル側コネクタ５３をハウジング２０７１から抜くことにより端子金具２０７２と出力側ケーブル５２との接続を簡単に解除することができる。
【００７８】
次に、本発明の第四の実施形態について、図１２乃至図１４を参照しつつ説明する。図１２（ａ）は、第四の実施形態の分岐端子台装置３００１を示す平面図、（ｂ）は背面図、（ｃ）は右側面図である。図１３（ａ）は、第四の実施形態において導電板２０に入力端子ネジ２５及び出力端子ネジ３０７０を取付けた状態を示す側面図、（ｂ）はその平面図である。図１４は、分岐端子台装置３００１の使用状態を示す平面図である。
【００７９】
本実施形態の分岐端子台装置１００１は、導電板２０の下段面２１に、第一の実施形態におけるワンタッチ端子台７０に代えて、複数の出力端子ネジ３０７０を螺着したことを特徴とする。
【００８０】
すなわち、各導電板２０の下段面２１には、合計５個のネジ孔２１ｂが形成されている。具体的には、各導電板２０の下段面２１において、端部寄りに３個及び中央付近に２個のネジ孔２１ｂが、互いに左右方向の位置をずらして形成されている。そして、端部寄りの３個のネジ孔２１ｂには、導電性を有する円筒状のセルスペーサ２１ｃ及び座金を介して３本の出力端子ネジ３０７０が螺着される。また、中央付近の２個のネジ孔２１ｂには、セルスペーサ２１ｃよりも長い円筒状のセルスペーサ２１ｄ及び座金を介して２本の出力端子ネジ３０７０が螺着される。
【００８１】
そして、透明カバー３０４０及び記号板３０をケース１０から取り外すと共に、入力側ケーブル５０を導電板２０の上段面２２に接続する。すなわち、入力端子ネジ２５の足部を、座金及び入力側ケーブル５０先端の圧着端子５０ａの孔に挿通し、さらに上段面２２のネジ孔２２ｃに合わせて締付けることにより、圧着端子５０ａを上段面２２に固着する。同様に、出力側ケーブル５２を導電板２０の下段面２１に接続する。すなわち、出力端子ネジ３０７０の足部を、座金及び出力側ケーブル５２先端の圧着端子２０ａの孔に挿通し、さらにセルスペーサ２１ｃ又は２１ｄに挿通して、下段面２１のネジ孔２１ｂに合わせて締付けることにより、圧着端子５２ａを下段面２１に固着する。
【００８２】
以上詳述したことから明らかなように、本実施形態によれば、出力側の端子部として５本の出力端子ネジ３０７０を導電板２０に螺着したので、１つの電源入力を５つの電源出力に分岐接続することができる。特に、導電板２０に二段曲げ加工により上段面２２及び下段面２１が形成されているので、コンパクトなサイズで多くの端子部を設けつつ、端子部に接続されるケーブル同士の干渉を回避することができる。
【００８３】
尚、本発明は上述した各実施の形態に限定されるものではなく、本発明の主旨を逸脱しない範囲で種々の変更を施すことが可能である。
【００８４】
例えば、前記各実施形態において、台座部１３を有する第一ブロック１００及び第三ブロック３００を赤色や青色等の複数色に色分けするようにしてもよい。例えば、ケーブルの被覆の色とブロックの色とを対応付けることにより、作業者によるケーブルの接続ミスの防止を図ることができる。尚、従来の分岐端子台装置では、ケースが一体であったので、このような色分けを施すことが困難であったが、ケース１０は複数に分割されたブロックを連結したものであるため、予め複数色のブロックを用意しておけば、台座部ごとに容易に色分けすることができる。
【産業上の利用可能性】
【００８５】
本発明は、電源を入力側から出力側へ分岐接続する分岐端子台装置に適用可能である。
【図面の簡単な説明】
【００８６】
【図１】本発明の第一の実施形態の分岐端子台装置を示す斜視図である。
【図２】（ａ）は第一の実施形態の分岐端子台装置を示す平面図、（ｂ）は（ａ）におけるＡ−Ａ線断面図である。
【図３】（ａ）は第一の実施形態における導電板の斜視図、（ｂ）は導電板と入力端子ネジ及びワンタッチ端子台とを分離して示す側面図、（ｃ）は導電板に入力端子ネジ及びワンタッチ端子台を取付けた状態を示す側面図、（ｄ）はその平面図である。
【図４】第一の実施形態においてケースを分解した状態を示す平面図である。
【図５】第一の実施形態の分岐端子台装置の使用状態を示す斜視図である。
【図６】第二の実施形態の分岐端子台装置を示す斜視図である。
【図７】（ａ）は第二の実施形態において導電板と入力端子ネジ及びコネクタとを分離して示す側面図、（ｂ）は導電板に入力端子ネジ及びコネクタを取付けた状態を示す側面図、（ｃ）はその平面図である。
【図８】第二の実施形態の分岐端子台装置の使用状態を示す斜視図である。
【図９】（ａ）は第三の実施形態の分岐端子台装置を示す平面図、（ｂ）は背面図、（ｃ）は右側面図である。
【図１０】（ａ）は第三の実施形態において導電板に入力端子ネジ及びコネクタを取付けた状態を示す側面図、（ｂ）はその平面図である。
【図１１】第三の実施形態の分岐端子台装置の使用状態を示す平面図である。
【図１２】（ａ）は第四の実施形態の分岐端子台装置を示す平面図、（ｂ）は背面図、（ｃ）は右側面図である。
【図１３】（ａ）は第四の実施形態において導電板に入力端子ネジ及びコネクタを取付けた状態を示す側面図、（ｂ）はその平面図である。
【図１４】第三の実施形態の分岐端子台装置の使用状態を示す平面図である。
【図１５】従来例の分岐端子台装置を示す図であり、（ａ）は平面図を、（ｂ）は正面図をそれぞれ示している。
【符号の説明】
【００８７】
１，１００１，２００１，３００１    分岐端子台装置
１０    ケース（筐体）
１３    台座部
１４    下段部
１５    上段部
２０    導電板
２１    下段面
２２    上段面
２７    入力端子ネジ（端子ネジ、入力側の端子部）
４０    透明カバー（カバー部材）
５０    入力側ケーブル（入力側のケーブル）
５２    出力側ケーブル（出力側のケーブル）
５３    ケーブル側コネクタ
７０    ワンタッチ端子台（ケーブル接続部材、出力側の端子部）
７１    ハウジング
７２    端子金具
７３    解除ボタン（解除手段）
１００    第一ブロック（ブロック）
１１３    台座部
１１９    側壁部
２００    第二ブロック（ブロック）
２１３    台座部
２１９    仕切り壁部
３００    第三ブロック（ブロック）
３１９    側壁部
１０７０    コネクタ（ケーブル接続部材、出力側の端子部）
１０７１    ハウジング
１０７２    端子金具
２０７０    コネクタ（ケーブル接続部材、出力側の端子部）
２０７１    ハウジング
２０７２    端子金具
３０７０    出力端子ネジ（出力側の端子部）
【図１】
2008034265.tif 000003
【図２】
2008034265.tif 000004
【図３】
2008034265.tif 000005
【図４】
2008034265.tif 000006
【図５】
2008034265.tif 000007
【図６】
2008034265.tif 000008
【図７】
2008034265.tif 000009
【図８】
2008034265.tif 000010
【図９】
2008034265.tif 000011
【図１０】
2008034265.tif 000012
【図１１】
2008034265.tif 000013
【図１２】
2008034265.tif 000014
【図１３】
2008034265.tif 000015
【図１４】
2008034265.tif 000016
【図１５】
2008034265.tif 000017